(57)【要約】【課題】建物のデザインや設計の自由度を損ねることなく、ガラス窓を利用して映像を表示する。【解決手段】建物１の窓枠に嵌め込まれ太陽電池を含む半透光性を有するガラス窓２と、このガラス窓２に映像を投影する投影機４とから構成する。半透光性を有する太陽電池を含むガラス窓２を用いて、昼間は太陽電池により発電を行ってバッテリ５に蓄電しながら、ガラス窓２から室内に採光する。夜間においてはガラス窓２の遮光性を利用して、投影機４をバッテリ５の電力により作動させてガラス窓２に画像を投影し、建物の外部にいる人向けの広告等の情報を伝達する。【選択図】        図１
2004151496.tif 000002
【特許請求の範囲】
【請求項１】
太陽電池パネルを含む半透光性を有するガラス窓と、該ガラス窓に内部から映像を投影する投影機とを有することを特徴とする映像表示装置。
【請求項２】
前記太陽電池は薄膜太陽電池とした請求項１に記載の映像表示装置。
【請求項３】
前記投影機は前記ガラス窓の外側から映像が正像として見えるように映像の左右を反転して投影する請求項１に記載の映像表示装置。
【請求項４】
前記ガラス窓の太陽電池で発電した電力を蓄電するバッテリを有し、前記投影機は前記バッテリの電力により作動するようにした請求項１に記載の映像表示装置。
【請求項５】
太陽電池を含む半透光性を有するガラス窓に、内部から投影機による映像を表示し、前記ガラス窓の外側から前記映像を視認できるようにすることを特徴とする映像表示方法。
【請求項６】
前記映像の投影は夜間とし、前記投影機は昼間に前記ガラス窓による発電電力を蓄電した電力を使用するようにした請求項５に記載の映像表示方法。
【発明の詳細な説明】
【０００１】
【発明の属する技術分野】
本発明は、例えばビル等の建物の外部にいる人に向けての広告、ニュース等の情報提供に用いる映像表示装置及び映像表示方法に関するものである。
【０００２】
【従来の技術】
従来の映像表示装置は、建物の外壁にＬＥＤ、液晶、ネオン灯等のディスプレイを設置することにより、映像を表示している。
【０００３】
また、投影用の壁面に投影機を介して映像を表示する装置もある。
【０００４】
【発明が解決しようとする課題】
しかしながら、前者のＬＥＤ、液晶、ネオン灯等のディスプレイの表示装置は、建物の外壁や屋上に設置する必要があり、建物の外壁に設けた場合には、表示装置を設けた部分からは採光ができず、建物の美観を損ねたり、保守点検や安全管理のコストが高い等の問題がある。
【０００５】
また、後者の壁面に投影機を介して映像を表示する装置においては、表示する壁面は投影用の壁面に適した加工を施す必要があり、壁面の材質、デザインの自由度を損ねてしまう。また、投影機は屋外に置くため、風雨等に対する対策も必要となる。
【０００６】
本発明の目的は、上述の課題を解決し、太陽電池を備えた採光用の窓部を利用し、窓部を介して外部に画像情報を伝達する映像表示装置及び映像表示方法を提供することにある。
【０００７】
【課題を解決するための手段】
上記目的を達成するための本発明に係る映像表示装置は、太陽電池パネルを含む半透光性を有するガラス窓と、該ガラス窓に内部から映像を投影する投影機とを有することを特徴とする。
【０００８】
また、本発明に係る映像表示方法は、太陽電池を含む半透光性を有するガラス窓に、内部から投影機による映像を表示し、前記ガラス窓の外側から前記映像を視認できるようにすることを特徴とする。
【０００９】
【発明の実施の形態】
本発明を図示の実施の形態に基づいて詳細に説明する。
図１は本実施の形態における映像表示装置の概略図を示しており、建物１の窓枠は太陽電池を含む半透光性を有するガラス窓２が嵌め込まれ、建物１内の天井３には、このガラス窓２に映像を投影するための投影機４が吊設されている。
【００１０】
そして、ガラス窓２の太陽電池により発電した電力はバッテリ５に蓄電され、制御回路６を介して投影機４に供給されるようになっている。
【００１１】
図２はガラス窓２の断面図を示しており、透明な２枚の板ガラス１１間に、例えば膜厚数μｍのアモルファスや多結晶や単結晶から成る薄膜太陽電池１２を成膜したものが用いられている。この薄膜太陽電池１２は膜厚が数μｍなため、薄膜太陽電池１２自体に透光性を有しており、ガラス窓２全体として半透光性とされ、太陽光を室内に採光することができる。
【００１２】
また、図３に示すように、例えば２枚の透明な板ガラス１１の間に板厚１ｍｍ程度のアモルファスや多結晶や単結晶の結晶系の太陽電池パネル１３を適宜配置したものを用いてもよい。この結晶系の太陽電池パネル１３自体は、住宅の屋根等に用いられている太陽光発電に用いられているものと同様のものであり透光性はない。しかし、図３に示すように分割した太陽電池パネル１３を間隔を隔てて配置することにより、ガラス窓２全体としては半透光性を有し、ガラス窓２から採光することができ、窓の役割を果たすことができる。また、この場合のガラス窓２の透光率は、ガラス窓２の面積に対する太陽電池パネル１３の面積を調整することにより適宜に設計することができる。
【００１３】
これらの太陽電池はシリコン系、シリコン合金系、化合物系等の種々のものが知られているが、何れを用いてもよい。
【００１４】
このような太陽電池を含む半透光性を有するガラス窓２を用いることにより、昼間は太陽光を受光し、太陽電池により発電を行い、室内照明の電力に使用したり、バッテリ５に蓄電しながら、ガラス窓２から太陽光を室内に採光することができる。また、このガラス窓２は半透光性であるため、室内を適度に遮光することができ、外部から室内が見え難くするブラインド効果も得られる。
【００１５】
夜間においてはガラス窓２の半透光性を利用して、室内に設けた投影機４を用いて、昼間にバッテリ５に蓄電した電力によってガラス窓２に映像を投影し、建物の外部にいる人に向けて広告、ニュース等の情報を表示する。夜間においては周囲が暗いため、投影された弱い光による映像であっても外部から視認することができる。
【００１６】
投影機４による投影映像は、ガラス窓２の外にいる人が正像として見るものであるから、左右反転した映像を投影する必要があり、また映像の種類は動画、静止画の何れでもよい。
【００１７】
制御回路６は例えばタイマ回路等を有し、夜間の一定の時間から投影機４による投影を始め、所定の時間になると停止するようにすればよい。或いは、周囲が暗くなってから投影を始め、明るくなると停止するようにしてもよい。
【００１８】
このようにして、バッテリ５に蓄電した電力により投影機４を動作させ、制御回路６のタイマ回路などが乾電池により作動するようにすると、室内の商用電力を全く使用せずに済む。広告主が場所を借用し、設備のみを負担すれば、建物の使用者から電力の供給を受けずに、広告を続けることができる。
【００１９】
なお、上述の実施の形態では、投影機４とバッテリ５の電力により作動するようにしたが、バッテリ５を使用せずに、商用電力等によって作動させてもよいことは勿論である。
【００２０】
本実施の形態においては、映像を建物のガラス窓に投影する場合について説明したが、例えばバスや電車等の乗物のガラス窓を利用することもできる。
【００２１】
【発明の効果】
以上説明したように本発明に係る映像表示装置及び映像表示方法は、太陽電池を含むガラス窓を被投影面とすることにより、デザインや設計の自由度を損ねることなく、画像情報を伝達できる。
【図面の簡単な説明】
【図１】実施の形態の映像表示装置の概略図である。
【図２】ガラス窓の断面図である。
【図３】ガラス窓の断面図である。
【符号の説明】
１  建物
２  ガラス窓
３  天井
４  投影機
５  バッテリ
６  制御回路
１１  板ガラス
１２  薄膜太陽電池
１３  太陽電池パネル
【図１】
2004151496.tif 000003
【図２】
2004151496.tif 000004
【図３】
2004151496.tif 000005